(57)【要約】【課題】  本人自身に関するあらゆる情報やメッセージを家族や子孫に発信し続け、家族や子孫は先人たちの前記情報やメッセージをいつでも利用できるメッセージ管理システムを提供することを目的とする。【解決手段】管理団体の会員情報管理サーバと、前記複数の管理団体を統括する統括管理団体の会員情報統括管理サーバと、前記管理団体の会員情報管理サーバに通信ネットワークを介して接続された会員本人通信端末と、家族会員通信端末とを有し、前記会員情報管理サーバは、通信ネットワークを介して、会員本人の情報やメッセージを会員情報管理サーバ及び統括管理団体の会員情報統括管理サーバに登録し、会員本人通信端末は、会員本人自身の各種情報等を会員情報管理サーバに提供するとともに、会員情報管理サーバは、家族会員が要望する会員本人の情報やメッセージを家族会員端末に送信する。【選択図】  図１
2013058021.tif 000002
【特許請求の範囲】
【請求項１】
管理団体の会員情報管理サーバが通信ネットワークを介して会員本人から委託されたメッセージを管理するメッセージ管理システムにおいて、
複数の管理団体の会員情報管理サーバと、前記複数の管理団体を統括する統括管理団体の会員情報統括管理サーバと、前記管理団体の会員情報管理サーバに通信ネットワークを介して接続された会員本人通信端末と、家族会員通信端末とを有し、
前記会員情報管理サーバは、通信ネットワークを介して、会員本人の情報やメッセージを会員情報管理サーバに登録し、同時に統括管理団体の会員情報統括管理サーバに登録し、会員本人通信端末は、会員本人自身のあらゆる情報やメッセージを会員情報管理サーバに提供するとともに、
会員情報管理サーバは、家族会員が要望する会員本人の情報やメッセージを家族会員端末に送信することを特徴とするメッセージ管理システム。
【発明の詳細な説明】
【技術分野】
【０００１】
本発明は、メッセージ管理システムに関し、詳しくは、通信ネットワークを介して、申込者本人の種々の情報やメッセージを利用することができるメッセージ管理システムに関する。
【背景技術】
【０００２】
一般に、過去の先人の情報を入手するには、お寺・寺院等に記録されている過去帳なるものでしか得ることができず、しかも記録としては本人の出生場所や家系等の一部が記載されているに過ぎず、また、そのお寺・寺院等の檀家制度に属していることが必要となる。
また、故人を思い出す情報としては、当該過去帳の他、故人の慣習情報としての先祖伝来の墓地に入る習慣や新しく分家としての墓地を造って入る慣習等の民族的習慣の宗教的な手法がある。また、お盆行事や法事行事等の国民的行事も故人を思い出す情報源ともなる。
年々、世代が進むにつれ現実には、上述の如き慣習等もしだいに忘れ去られ、行事として残っていることが多い。
【０００３】
ところで、故人のメッセージとして、「遺言」や「別れの言葉」等といった形でこれらのメッセージを伝達する方法が知られている。
特許文献１には、遺言の配信サービスとして、インターネットを介して、依頼人のメールアドレスに定期的にメールを送信し、その返事があれば生存を確認し、メール送信後一定の期間を待っても返事がなければ生存しなくなったと判断し、予め依頼された遺言状を指定された人のメールアドレスに配信する方法が開示されている。
【０００４】
また、特許文献２には、依頼人の遺言をデータとして保管し、役所等の機関で依頼人の死亡を確認することにより、依頼人の遺言を指定された相続人に伝達する方法が開示されている。
【０００５】
また、特許文献３には、ライフバンクシステムとして、会員の遺言その他の会員の個人情報を保存し、会員の死亡を確認したときに、当該会員の個人情報を公開したり、配信先に伝達する方法が開示されている。
【先行技術文献】
【特許文献】
【０００６】
【特許文献１】特開２００５−１４１６０７号公報
【特許文献２】特開２００２−４９７０８号公報
【特許文献３】特開２００２−１９７２８７号公報
【発明の概要】
【発明が解決しようとする課題】
【０００７】
しかしながら、上記特許文献１至及特許文献３では、本人の生存確認方法が不明確であったり、依頼人に対してメールを定期的に送り続けるような方法は依頼人にとって煩わしいという不具合があった。
また、役所等の機関を利用したりするため、システムが大掛かりで費用が膨大であるという問題があった。
【０００８】
さらに、上述開示された方法では、遺言等の一時的な情報のみの提供であって、特に、本発明者が望む故人と未来の子孫とが、末代まで密接に繋がる情報を提供する方法は全く開示されていない。
本発明者は、故人と未来の子孫とが、末代まで密接に繋がる情報やメッセージを伝えることができるシステムを望むものである。
【０００９】
本発明は、このような実情に鑑みてなされたもので、本人自身に関するあらゆる情報やメッセージを家族や未来の子孫にそれらの情報やメッセージを発信することができるメッセージ管理システムを提供することを目的とする。
【課題を解決するための手段】
【００１０】
上記課題を解決するために、本発明のメッセージ管理システムは、管理団体の会員情報管理サーバが通信ネットワークを介して会員本人から委託されたメッセージを管理するメッセージ管理システムにおいて、複数の管理団体の会員情報管理サーバと、前記複数の管理団体を統括する統括管理団体の会員情報統括管理サーバと、前記管理団体の会員情報管理サーバに通信ネットワークを介して接続された会員本人通信端末と、家族会員通信端末とを有し、前記会員情報管理サーバは、通信ネットワークを介して、会員本人の情報やメッセージを会員情報管理サーバに登録し、同時に統括管理団体の会員情報統括管理サーバに登録し、会員本人通信端末は、会員本人自身のあらゆる情報やメッセージを会員情報管理サーバに提供するとともに、会員情報管理サーバは、家族会員が要望する会員本人の情報やメッセージを家族会員端末に送信することを特徴とする
【発明の効果】
【００１１】
本発明によれば、本人自身に関するあらゆる情報やメッセージが会員情報管理サーバに登録蓄積され、しかも、一個人ではなく代々の先人達のメッセージ管理データが蓄積されることになる。その情報やメッセージとしては、例えば、自身の考え方，物事の捉え方，仕事の実績，友人関係，親類縁者等あらゆる項目が挙げられる。
上述の如く、本人自身の情報やメッセージが代々の先人達のメッセージとして会員情報管理サーバに登録蓄積されることにより、家族や子孫はそれらの情報やメッセージにアクセスして知ることができ、家族や子孫にとっても自分の考え方や生き方の参考にすることができる。
【００１２】
また、先人を選択特定して検索することができるため、子孫が行き方行動等に悩んだり迷ったりするような種々での場面で、しかも時代を超えて色々な情報やメッセージを得ることができる。
また、直系先人達の言動等にも学ぶことができ、先人達とのより一層の結びつきを深く感じることができ、先祖を大切にする心が育まれることになる。このように先祖と子孫とが末代まで密接な繋がりを得ることができる。
【００１３】
さらに、会員情報管理サーバに先人達多くの情報やメッセージが蓄積されることから、世代が進むにつれ、親類縁者の歴史的大集団を形成することも可能である。
【００１４】
一方見方を変えれば、先人達のことは何世代かすると忘れ去られてしますことが多い中、本発明のメッセージ管理システムによれば、先人達からも常にアピールしていることともなり、未来の子孫に向けて情報を発信し続けることができることにもなる。
【図面の簡単な説明】
【００１５】
【図１】は本発明に係るメッセージ管理システムの実施形態を示すシステムの構成図である。
【図２】は本発明に係るメッセージ管理システムの実施携帯を示すシステム全体の構成図である。
【図３】は本発明に係るメッセージ管理システムのブロック図である。
【図４】は本発明に係るメッセージ管理システムのメッセージ内容の一例を示す図である。
【発明を実施するための最良の形態】
【００１６】
以下、本発明を実施するための最良の実施形態について説明する。
【００１７】
図１至及図４に本発明の実施形態の一例のメッセージ管理システムを示す。
図１に示すようにメッセージ管理システムは、少なくとも、会員制を取り入れることにより、本人自身の情報やメッセージの管理を委託する会員本人１と、委託された情報やメッセージを管理する管理団体２と、複数の管理団体２を統括する統括管理団体３と、情報やメッセージを利用する家族会員４で運用される。
なお、管理団体２としては、各宗派の地方寺院が該当し、統括管理団体３としては、各地方寺院を統括する宗派本山が該当する。
【００１８】
そして、管理団体２が窓口となって会員希望者としての会員本人１や家族会員４を募ることになる。
また、本発明のメッセージ管理システムの運用費用は、会員に対しては初回に相応の費用を負担してもらい、２代目からは低額で提供できる制度とする。これにより、自然な形で代々寺院に入会する習慣を作り出すことができ、いわゆる檀家のような会員制度を構築することができることから、会員を介して寺院ともより密接につながることにもなるため、寺院の継続的安定化を図ることもできる。
【００１９】
図１、図２に示すように、本発明のメッセージ管理システムの構成は、会員本人１の情報やメッセージを管理する管理団体２の会員情報管理サーバ５と、会員情報管理サーバ５に接続された管理団体２の管理団体通信端末６と、会員情報管理サーバ５に接続された統括管理団体３の会員情報統括管理サーバ７と、管理団体２に情報やメッセージを提供する会員本人１の会員本人通信端末８と、会員情報管理サーバ５を利用する家族会員４の家族会員通信端末９と、会員情報管理サーバ５と会員本人通信端末８及び家族会員通信端末９を相互に接続する通信ネットワーク１０などで構成されている。
【００２０】
会員本人１は、会員本人通信端末８で通信ネットワーク１０を介して管理団体２の管理団体通信端末６にアクセスし、会員本人１自身の情報やメッセージを会員情報管理サーバ５に登録する。
情報やメッセージ内容は、管理団体通信端末６の登録画面に表示された内容にしたがって入力する。例えば、一例として図５に示す「先人○○○様のメッセージ」表に示すように、本人に関する写真，性格，考え方，物事の捉え方，病歴，仕事の実績，友人関係，親戚関係，家系関係等の内容の如きである。
なお、会員本人１の情報やメッセージの修正・追加も上述と同様の手順で行うことになる。即ち、会員本人１は、会員本人通信端末８から管理団体２の管理団体通信端末６にアクセスし、修正画面または追加画面に表示された内容にしたがって情報またはメッセージを入力することになる。
また、会員情報管理サーバ５に登録された会員本人１の情報やメッセージは、同時に統括管理団体３の会員情報統括管理サーバ７にも登録されることになる。
なお、符号３ａは、会員情報統括管理サーバに接続されている統括管理団体通信端末を示している。
【００２１】
会員情報管理サーバ５及び会員情報統括管理サーバ７に入力された会員本人１の情報やメッセージは、それぞれ会員情報管理サーバ５の管理マスター１１及び会員情報統括管理サーバ７の管理マスター１２に編集登録される。
【００２２】
一方、会員情報管理サーバ５の管理マスター１１を利用する家族会員４は、家族会員通信端末９で管理団体２の管理団体通信端末６にアクセスし、会員情報管理サーバ５に蓄積された会員本人１の情報やメッセージの提供を受けることができる。
また、家族会員４は、家族会員通信端末９に提供を受けた会員本人１の情報やメッセージを更に家族会員通信端末９を介して、他の家族の通信表示端末９ａ，９ｂ，９ｃ等に転送して利用できるようにすることも可能である。通信表示端末としては、家庭テレビ、携帯電話、携帯端末等が該当するが、それらに限定されることはない。
【００２３】
図２に示すように、本発明のメッセージ管理システムの全体構成は、管理団体２としての各宗派の地方寺院が管理団体２ａ，２ｂ，２ｃのように複数存在し、それら複数の管理団体２ａ，２ｂ，２ｃを統括管理団体３としての宗派本山が統括することとなる。
また、会員も一単独家族即ち、会員本人１と家族会員４の構成の会員単位が、それぞれ会員単位１３ａ，１３ｂ，１３ｃのように複数集まって一つの会員グループを構成し、さらに、その会員グループも当然に会員グループ１４ａ，１４ｂ，１４ｃのように複数の会員グループを構成しており、これらの構成によって、メッセージ管理システムを運用することになる。
なお、会員側の会員グループ１４ｂ，１４ｃは、それぞれ会員グループ１４ａの構成のごとく、会員本人１と家族会員４からなる会員単位１３ａ，１３ｂ，１３ｃの集合体からなる構成となっている。
さらに、一つの管理団体と一つの会員グループが対峙する構成となり、例えば、管理団体２ａは会員グループ１４ａと対峙し、管理団体２ｂは会員グループ１４ｂと、管理団体２ｃは会員グループ１４ｃとそれぞれ対峙する構成とになり、いわゆる檀家体制のような形態になる。
【００２４】
図３により、本発明のメッセージ管理システムの手順について説明する。会員本人１は、会員本人通信端末８で管理団体２の管理団体通信端末６にアクセスし、会員の申し込みを配信する（Ｓ−１）。
管理団体２は、会員申込者からの申し込みを受信すると（Ｓ−１０）、その申し込み内容等を確認の上、問題がなければ申し込みを受理するとともに、会員情報管理サーバ５の管理マスター１１に会員登録をする（Ｓ−１１）。
また、同時に統括管理団体３の会員情報統括管理サーバ７の管理マスター１２にも会員の登録がなされる（Ｓ−２０）。
そして、管理団体２は、会員登録した会員本人１に対し専用のアクセスコードを配信する。
【００２５】
次に、会員登録がなされたことを会員本人通信端末８で確認した会員本人１は、会員本人１専用のアクセスコードを使って、管理団体２の管理団体通信端末６にアクセスし、図５に示すように会員本人１自身の情報やメッセージ内容を配信すると（Ｓ−２）、管理団体２は配信された情報やメッセージ内容を会員情報管理サーバ５の管理マスター１１に編集登録する（Ｓ−１２）。また、同時に統括管理団体３の会員情報統括管理サーバ７の管理マスター１２にも会員本人１自身の情報やメッセージ内容が編集登録される（Ｓ−２１）。
【００２６】
また、会員本人１が提供した情報やメッセージの修正が発生した場合には、会員本人１が会員本人通信端末８で管理団体２の管理団体通信端末６にアクセスし、情報やメッセージの修正内容を配信することで（Ｓ−３）、管理団体２は配信された情報やメッセージの修正内容を会員情報管理サーバ５の管理マスター１１に編集登録し（Ｓ−１３）、同時に統括管理団体３の会員情報統括管理サーバ７の管理マスター１２にも会員本人１自身の情報やメッセージの修正内容が編集登録される（Ｓ−２２）。
【００２７】
さらに、会員本人１が提供した情報やメッセージの追加が発生した場合には、上述の情報やメッセージの修正方法と同様な手順で情報やメッセージの追加を行うことができる。即ち、会員本人１が会員本人通信端末８で管理団体２の管理団体通信端末６にアクセスし、情報やメッセージの追加内容を配信することで（Ｓ−４）、管理団体２は配信された情報やメッセージの追加内容を会員情報管理サーバ５の管理マスター１１に編集登録し（Ｓ−１４）、同時に統括管理団体３の会員情報統括管理サーバ７の管理マスター１２にも会員本人１自身の情報やメッセージの追加内容が編集登録されることになる（Ｓ−２３）。
【００２８】
家族が管理団体２の会員になるためには、まず、家族は家族会員通信端末９で管理団体の管理団体通信端末６にアクセスし、家族会員の申し込みをする（Ｓ−３０）。
管理団体２は、家族会員申込者からの申し込みを受信すると（Ｓ−１０）、その申し込み内容等を確認の上、問題がなければ申し込みを受理するとともに、会員情報管理サーバ５の管理マスター１１に家族会員の登録をする（Ｓ−１１）。
また、同時に統括管理団体３の会員情報統括管理サーバ７の管理マスター１２にも家族会員の登録がなされる（Ｓ−２０）。
そして、管理団体２は、家族会員登録した家族会員４に対し専用のアクセスコードを配信する。
【００２９】
次に、家族会員４が会員本人１や先人達の情報やメッセージの提供を要望する場合には、家族会員４専用のアクセスコードを使って、家族会員通信端末９で管理団体の管理団体通信端末６にアクセスし、会員本人１や先人達の情報やメッセージの提供を要望する内容について、図５に示すような、故人や先人達に関する写真，性格，考え方，物事の捉え方，病歴，仕事の実績，友人関係，親戚関係，家系関係等の項目を選択し、提供要望の配信をする（Ｓ−３１）。
【００３０】
上記家族会員４からの情報やメッセージの提供要望を管理団体通信端末６で受信した管理団体２は、提供要望を受けた故人や先人達に関する情報やメッセージの項目内容を家族会員に配信する（Ｓ−１５，Ｓ−１６）。なお、管理団体２の情報やメッセージの受信・配信は、会員情報管理サーバ５が自動受信・自動配信するようにプログラムされている。
【００３１】
そして、家族会員４の家族会員通信端末９によって、要望した会員本人１や先人達の情報やメッセージが受信され（Ｓ−３２）、家族会員通信端末９の画面に要望した会員本人１や先人達の情報やメッセージ項目が表示され、会員本人１や先人達の行動や考え方について知ることができる。
【００３２】
また、家族会員４は、家族会員通信端末９で受信した上記会員本人１や先人達の情報やメッセージを家族通信表示端末９ａ，９ｂ，９ｃとしての家庭テレビや携帯電話や携帯端末等に送信し（Ｓ−４０）、家族一人一人が何時でも何処でも好きなときに見ることができるようにしても良い。
【００３３】
上述のように、本発明のメッセージ管理システムによれば、家族や子孫たちが、携帯端末等の機器で何時でも何処でも自由に先人たちを選び、蓄積された先人達の様々な情報やメッセージを知見することができ、また、既子孫にとって、自分の考え方の参考となる先祖の特定もすることができ時代を超えた繋がりを保つことができる。
なお、蓄積された情報やメッセージとして、動画にしたものを含めて利用することもできる。
【００３４】
さらに、入力された先祖達の考え方等を情報源としてソフト化することにより、代が進むにつれ親類縁者の歴史的大集団が形成され、数百年後の子孫のいろいろな相談相手になることも可能となり、直系先人の言動に学ぶ」ことも可能である。
【符号の説明】
【００３５】
１                        会員本人
２，２ａ，２ｂ，２ｃ      管理団体
３                        統括管理団体
３ａ                      統括管理団体通信端末
４                        家族会員
５                        会員情報管理サーバ
６                        管理団体通信端末
７                        会員情報統括管理サーバ
８                        会員本人通信端末
９                        家族会員通信端末
９ａ，９ｂ，９ｃ          家族通信表示端末
１０                      通信ネットワーク
１１，１２                管理マスター
１３ａ，１３ｂ，１３ｃ    会員単位
１４ａ，１４ｂ，１４ｃ    会員グループ
【図１】
2013058021.tif 000003
【図２】
2013058021.tif 000004
【図３】
2013058021.tif 000005
【図４】
2013058021.tif 000006